【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
ポストペイサービス対応のカード媒体を用いた利用料金後払い方式による交通機関や施設の利用での利用料金の計算を行なう利用料金計算方法であって、
交通機関や施設を利用する際、利用者があらかじめインターネット等により、割引グループ登録情報として少なくとも割引の適用を受けようとする複数のカード媒体の固有の識別情報および割引適用内容を登録する登録ステップと、
交通機関や施設への入場時、利用者が提示するカード媒体からそれに記録されている少なくとも固有の識別情報を読取ることにより当該識別情報を含む入場情報を作成して当該カード媒体に記録する入場処理ステップと、
交通機関や施設からの出場時、利用者が提示するカード媒体からそれに記録されている少なくとも入場情報を読取ることにより利用金額の計算を行なう出場処理ステップと、
この出場処理ステップによりカード媒体から読取られた入場情報内の識別情報に対応する識別情報を有する割引グループ登録情報が前記登録ステップで登録された登録内容に存在するか否かを判定する判定ステップと、
この判定ステップの判定の結果、カード媒体から読取られた入場情報内の識別情報に対応する識別情報を有する割引グループ登録情報が前記登録ステップで登録された登録内容に存在する場合、前記出場処理ステップにより計算された利用料金に対し前記登録ステップで登録された割引グループ登録情報内の割引適用内容に基づく割引金額を適用して請求額を計算する演算ステップと、
を具備したことを特徴とする利用料金計算方法。
【請求項２】
ポストペイサービス対応のカード媒体を用いた利用料金後払い方式による交通機関や施設の利用での利用料金の計算を行なう利用料金計算システムであって、
交通機関や施設を利用する際、利用者があらかじめインターネット等により、割引グループ登録情報として少なくとも割引の適用を受けようとする複数のカード媒体の固有の識別情報および割引適用内容を登録する登録手段と、
交通機関や施設への入場時、利用者が提示するカード媒体からそれに記録されている少なくとも固有の識別情報を読取ることにより当該識別情報を含む入場情報を作成して当該カード媒体に記録する入場処理手段と、
交通機関や施設からの出場時、利用者が提示するカード媒体からそれに記録されている少なくとも入場情報を読取ることにより利用金額の計算を行なう出場処理手段と、
この出場処理手段によりカード媒体から読取られた入場情報内の識別情報に対応する識別情報を有する割引グループ登録情報が前記登録手段で登録された登録内容に存在するか否かを判定する判定手段と、
この判定手段の判定の結果、カード媒体から読取られた入場情報内の識別情報に対応する識別情報を有する割引グループ登録情報が前記登録手段で登録された登録内容に存在する場合、前記出場処理手段により計算された利用料金に対し前記登録手段で登録された割引グループ登録情報内の割引適用内容に基づく割引金額を適用して請求額を計算する演算手段と、
を具備したことを特徴とする利用料金計算システム。
【請求項３】
ポストペイサービス対応のカード媒体を用いた利用料金後払い方式による交通機関や施設の利用での利用料金の計算を行なう利用料金計算システムであって、
利用者が所持する端末装置と、交通機関や施設の入場側に設置された入場処理機と、交通機関や施設の出場側に設置された出場処理機と、これら端末装置、入場処理機および出場処理機とそれぞれ通信可能に接続されたホスト装置とを有し、
前記端末装置は、
利用者の操作に応答して前記ホスト装置に対し、割引グループ登録情報として少なくとも割引の適用を受けようとする複数のカード媒体の固有の識別情報および割引適用内容を登録する登録手段を具備し、
前記入場処理機は、
交通機関や施設への入場時、利用者が提示するカード媒体からそれに記録されている少なくとも固有の識別情報を読取ることにより当該識別情報を含む入場情報を作成して当該カード媒体に記録する入場処理手段を具備し、
前記出場処理機は、
交通機関や施設からの出場時、利用者が提示するカード媒体からそれに記録されている少なくとも入場情報を読取ることにより、利用金額の計算を行なうとともに当該入場情報および計算された利用料金を含むカード媒体利用情報を作成する出場処理手段と、
この出場処理手段により作成されたカード媒体利用情報を前記ホスト装置へ送信する送信手段とを具備し、
前記ホスト装置は、
前記端末装置の登録手段により登録された割引グループ登録情報を保持する登録情報保持手段と、
前記出場処理機の送信手段により送信されたカード媒体利用情報を受信する受信手段と、
この受信手段により受信されたカード媒体利用情報内の識別情報に対応する識別情報を有する割引グループ登録情報が前記登録情報保持手段に存在するか否かを判定する判定手段と、
この判定手段の判定の結果、前記カード媒体利用情報内の識別情報に対応する識別情報を有する割引グループ登録情報が前記登録情報保持手段に存在する場合、前記受信手段により受信されたカード媒体利用情報内の利用料金に対し当該割引グループ登録情報内の割引適用内容に基づく割引金額を適用して請求額を計算する演算手段とを具備したことを特徴とする利用料金計算システム。
【請求項４】
利用者が所持する端末装置と、利用者が所持するポストペイサービス対応のカード媒体を処理する交通機関や施設の入場側に設置された入場処理機と、前記カード媒体を処理する交通機関や施設の出場側に設置された出場処理機と、これら端末装置、入場処理機および出場処理機とそれぞれ通信可能に接続されたホスト装置とを有し、前記カード媒体を用いた利用料金後払い方式による交通機関や施設の利用での利用料金の計算を行なう利用料金計算システムに使用され、
交通機関や施設への入場時、利用者が提示するカード媒体からそれに記録されている少なくとも固有の識別情報を読取る読取手段と、
この読取手段により読取られた識別情報を含む入場情報を作成して当該カード媒体に記録する入場処理手段と、
を具備したことを特徴とする入場処理機。
【請求項５】
利用者が所持する端末装置と、利用者が所持するポストペイサービス対応のカード媒体を処理する交通機関や施設の入場側に設置された入場処理機と、前記カード媒体を処理する交通機関や施設の出場側に設置された出場処理機と、これら端末装置、入場処理機および出場処理機とそれぞれ通信可能に接続されたホスト装置とを有し、前記カード媒体を用いた利用料金後払い方式による交通機関や施設の利用での利用料金の計算を行なう利用料金計算システムに使用され、
交通機関や施設からの出場時、利用者が提示するカード媒体からそれに記録されている少なくとも入場情報を読取る読取手段と、
この読取手段により読取られた入場情報に基づき、利用金額の計算を行なうとともに当該入場情報および計算された利用料金を含むカード媒体利用情報を作成する出場処理手段と、
この出場処理手段により作成されたカード媒体利用情報を前記ホスト装置へ送信する送信手段と、
を具備したことを特徴とする出場処理機。
【請求項６】
利用者が所持する端末装置と、利用者が所持するポストペイサービス対応のカード媒体を処理する交通機関や施設の入場側に設置された入場処理機と、前記カード媒体を処理する交通機関や施設の出場側に設置された出場処理機と、これら端末装置、入場処理機および出場処理機とそれぞれ通信可能に接続されたホスト装置とを有し、前記カード媒体を用いた利用料金後払い方式による交通機関や施設の利用での利用料金の計算を行なう利用料金計算システムに使用され、
前記端末装置により登録された少なくとも割引の適用を受けようとする複数のカード媒体の固有の識別情報および割引適用内容からなる割引グループ登録情報を保持する登録情報保持手段と、
前記出場処理機により送信される前記カード媒体から読取った入場情報および計算された利用料金を含むカード媒体利用情報を受信する受信手段と、
この受信手段により受信されたカード媒体利用情報内のカード媒体固有の識別情報に対応する識別情報を有する割引グループ登録情報が前記登録情報保持手段に存在するか否かを判定する判定手段と、
この判定手段の判定の結果、前記カード媒体利用情報内のカード媒体固有の識別情報に対応する識別情報を有する割引グループ登録情報が前記登録情報保持手段に存在する場合、前記受信手段により受信されたカード媒体利用情報内の利用料金に対し当該割引グループ登録情報内の割引適用内容に基づく割引金額を適用して請求額を計算する演算手段と、
を具備したことを特徴とするホスト装置。